(57)【要約】【課題】  公知の双眼鏡においては、左右の眼間を調整する為の関節部は両鏡筒を継げながら焦点調整をする為の構造を関節部内に作られていた。その為、大きな体積の関節部が必要であった。その為、双眼鏡の重量としても、より重くならざるを得ず、又、双眼鏡を片手又は両手で持った時、関節部が邪魔になり、双眼鏡をはさむ形で保持する事となる。又、関節部を鏡筒の両端部に近い位置まで離して、２箇所用意し、中間部が空間になるよう考えられた物もあるが、これにしても、双眼鏡の全体の大きさ関係から、４本の指が自由に空間部に収まる事はできないので、どうしても使用時に不自然な保持を余儀なくされる事となる。【解決手段】  双眼鏡に於ける眼間を調整する為の関節装置、焦点調整装置が、軸方向上部に設置され、軽量化を実現すると共に、双眼鏡を掌と指で包み込むように保持することが可能になり、非常に持ち易く操作し易い双眼鏡となる。【選択図】図１
2007127690.tif 000002
【特許請求の範囲】
【請求項１】
双眼鏡における眼間を調整する為の、中心軸、関節装置が２つの管部材の中間位置にあると同時に、軸方向上部に偏って１箇所のみ設置されている事を特徴とする双眼鏡。
【請求項２】
請求項１の双眼鏡において、関節装置と同軸上に回転ノブが設置され、この回転ノブは焦点合せノブであると同時に、軸方向上部に回転ノブを移動する事により、視度調整ノブとして機能する事を特徴とする双眼鏡。
【請求項３】
前記回転ノブは、焦点合せノブとして使用する時は、ノブの回転がリード環を介して、左右連結板が同時に軸方向に移動し、左右同時に焦点調整を行うが、回転ノブを上方に移動する事により、リード環との連結は離れ、内歯歯車を有する回転部材と連結し、その回転部材の回転により歯車の噛合った連結板の長さが、軸方向に変化する事により、片側のみの視度調整ができるよう構成された事を特徴とする双眼鏡。
【発明の詳細な説明】
【技術分野】
【０００１】
本発明は、二つの鏡筒を有する双眼鏡であって、眼間の距離を調整する関節があり、同軸上に焦点調整を行う回転ノブを有し、回転ノブの回転により、左右焦点調整用レンズが軸方向に移動する焦点合せ手段を有する双眼鏡に関する。
【背景技術】
【０００２】
公知の双眼鏡においては、左右の眼間を調整する為の関節部は両鏡筒を継げながら焦点調整をする為の構造を関節部内に作られていた。その為、大きな体積の関節部が必要となり、両鏡筒の長さの約１／２位の長さになるのが普通であった。その為、双眼鏡の重量としても、より重くならざるを得ず、又、双眼鏡を片手又は両手で持った時、関節部が邪魔になり、双眼鏡をはさむ形で保持する事となる。又、関節部を鏡筒の両端部に近い位置まで離して、２箇所用意し、中間部が空間になるよう考えられた物もあるが、これにしても、双眼鏡の全体の大きさ関係から、４本の指が自由に空間部に収まる事はできないので、どうしても使用時に不自然な保持を余儀なくされる事となる。
【０００３】
１つの回転ノブで、焦点調整、視度調整を行うタイプの物は、公知の物の中にも見受けられるが、非常に複雑な構造である為、問題も多かった。
【発明の開示】
【発明が解決しようとする課題】
【０００４】
本発明の課題は、持ち易く軽くて回転ノブの使い勝手の良い双眼鏡を提供する事である。
【課題を解決するための手段】
【０００５】
本発明における請求項１に特徴付けられた眼間を調整するための関節部を、焦点調整に必要な縦方向の動き量に見合った最短の長さにして、更に上方（接眼側）に寄せた位置に、1ヶ所のみ設置することにより、中心部より対物側の大きなスペースが鏡筒のみになる為、双眼鏡使用時に保持する時、手全体で包み込むように鏡筒を持つ事ができる為、非常に安定した形で、又、違和感の無い保持が可能になる。又、重量的にも軽くする事が可能である。
【発明の効果】
【０００６】
眼間を調整する為の関節部は、接眼側に偏った位置に構成され、なお且つ、短く小さく設定されている為、二つの鏡筒の間には、大きなスペースが発生し、双眼鏡を保持する時、掌と指で完全に包み込むことができる。又、回転ノブは1つであり、使用者が使用者個人の特徴である左右の眼の視力の違いを補正する必要があるが、この場合、回転ノブを上方に引き上げる事により、回転ノブ回転時に片側のみ焦点調整のためのレンズが移動し、左右の視力差を補正する。
【０００７】
回転ノブを押し下げる事により、回転ノブの回転はリード環を介して、左右の連結板を通じて、焦点調整レンズは左右同時に同量移動するので、左右同時の中繰り調整が可能になる。
【発明を実施するための最良の形態】
【０００８】
図１に示すように、関節（２）は、管部材（１．１´）の中間に位置し、且つ上方に設置されている。又、関節（２）の同軸上に回転ノブ（４）が設置されており、回転ノブ（４）の回転により、連結板（３）が上下するよう、図２に示すような構造になっている。連結板（３）には焦点調整レンズが含有されている。
【０００９】
中繰り焦点調整（左右同時焦点調整）を図２に添って説明する。
回転ノブ（４）を回転すると、リード軸（５）が回転し、リード環（６）が上下に移動する。リード環（６）の両端には、連結板（３と７）が嵌合されている為、連結板（３と７）も上下に移動する。連結板（３と７）には焦点調整レンズ（８）が含有されているので、焦点の調整が行われる。
【００１０】
縦筋目ローレット（９）、縦筋目ローレット（１０）は回転力を伝える為の縦筋目ローレットである。前記〔０００９〕作動時には縦筋目ローレット（９）は嵌合されており、縦筋目ローレット（１０）は離れている。又、押え環（１１）は、リード軸（５）が回転方向以外には動かないよう位置を決める為の押え環である。
【００１１】
使用者の左右の視力差を補正する為の視度調整に付いて図３にて説明する。
回転ノブ（４）を図のように上方に引き上げる。その時、縦筋目ローレット（９）ははずれ、縦筋目ローレット（１０）が嵌合する。回転ノブ（４）を回転すると視度リング（１２）も回転する。この視度リング（１２）の内壁部には、ギア（１３）が設けられており、そのギア（１３）は回転歯車（１４）と嵌合している。従って視度リング（１２）の回転により、回転ギア（１４）も回転する事となる。回転ギア（１４）にはリードネジ（１５）が設けられており、連結板（３）との間で嵌合している。回転ギア（１４）の回転は、リードネジ（１５）の働きにより連結板（３）の上下動を生む。
【００１２】
上記〔００１１〕の動きでは、リード環（６）は動かないので、連結板（７）も又動かない事となり、連結板（３）のみが上下動し、片側のみの焦点調整レンズ（８）の動きになるので、使用者の左右の視力差を補正する事ができる。尚、この動作の中では、縦筋目ローレット（９）は離れて、縦筋目ローレット（１０）は嵌合している。
【図面の簡単な説明】
【００１３】
【図１】切断された部分を有する双眼鏡の全体平面図を示す。
【図２】図１の双眼鏡における関節部及び回転ノブの断面図を示し、左右同時焦点装置（中繰り）の回転ノブ、リード、ギア等の嵌合構成を示す。
【図３】視度調整（片側のみ移動）の嵌合構成を示す断面図。
【符号の説明】
【００１４】
１    管部材  
１´  管部材
２    関節装置
３    連結板
４    回転ノブ
５    リード軸
６    リード環
７    連結板
８    視度調整レンズ
９    縦筋目ローレット
１０  縦筋目ローレット
１１  押え環
１２  視度リング
１３  ギア（歯車）
１４  回転ギア
１５  リードネジ
【図１】
2007127690.tif 000003
【図２】
2007127690.tif 000004
【図３】
2007127690.tif 000005